(57)【要約】  予測装置は、生体ガスを検出するセンサ部と、ライフログを取得するライフログ取得部と、を備える。予測装置は、センサ部によって検出された生体ガスに関する情報、及び、ライフログ取得部によって取得されたライフログに基づいて、ダイエット効果を予測する制御部（１５）をさらに備える。
2017150224.tif 000002
【特許請求の範囲】
【請求項１】
生体ガスを検出するセンサ部と、  ライフログを取得するライフログ取得部と、  前記センサ部によって検出された生体ガスに関する情報、及び、前記ライフログ取得部によって取得されたライフログに基づいて、ダイエット効果を予測する制御部と、を備える、  予測装置。
【請求項２】
記憶部をさらに備え、  前記記憶部は、生体ガスに関する情報及びライフログとダイエット効果との相関を示すデータを記憶し、  前記制御部は、前記検出された生体ガスに関する情報及び前記取得されたライフログと前記データとを照合して、前記ダイエット効果を予測する、  請求項１に記載の予測装置。
【請求項３】
報知部をさらに備え、  前記制御部は、予測した前記ダイエット効果を、前記報知部から報知する、  請求項１又は２に記載の予測装置。
【請求項４】
検出装置と予測装置とを備え、  前記検出装置は、生体ガスを検出するセンサ部と、ライフログを取得するライフログ取得部と、前記センサ部によって検出された生体ガスに関する情報、及び、前記ライフログ取得部によって取得されたライフログを前記予測装置に送信する通信部と、を備え、  前記予測装置は、前記情報及び前記ライフログを前記検出装置より受信する通信部と、前記情報及び前記ライフログに基づいて、ダイエット効果を予測する制御部と、を備える、  予測システム。
【請求項５】
前記予測装置は、記憶部をさらに備え、  前記記憶部は、生体ガスに関する情報及びライフログとダイエット効果との相関を示すデータを記憶し、  前記制御部は、前記検出された生体ガスに関する情報及び前記取得されたライフログと前記データとを照合して、前記ダイエット効果を予測する、  請求項４に記載の予測システム。
【請求項６】
検出装置と、中継装置と、予測装置とを備え、  前記検出装置は、生体ガスを検出するセンサ部と、ライフログを取得するライフログ取得部と、前記センサ部によって検出された生体ガスに関する情報、及び、前記ライフログ取得部によって取得されたライフログを前記中継装置に送信する通信部と、を備え、  前記中継装置は、前記検出された生体ガスに関する情報及び前記取得されたライフログを前記検出装置より受信して、受信した前記検出された生体ガスに関する情報及び前記取得されたライフログを、ネットワークを介して前記予測装置に送信する通信部を備え、  前記予測装置は、前記中継装置から前記ネットワークを介して送信される前記情報及び前記ライフログを受信する通信部と、前記情報及び前記ライフログに基づいて、ダイエット効果を予測する制御部と、を備える、  予測システム。
【請求項７】
前記予測装置は、記憶部をさらに備え、  前記記憶部は、生体ガスに関する情報及びライフログとダイエット効果との相関を示すデータを記憶し、  前記制御部は、前記検出された生体ガスに関する情報及び前記取得されたライフログと前記データとを照合して、前記ダイエット効果を予測する、  請求項６に記載の予測システム。
【発明の詳細な説明】
【関連出願の相互参照】
【０００１】  本出願は、２０１６年２月２９日に日本国に特許出願された特願２０１６−０３７３８１号の優先権を主張するものであり、これら先の出願の開示全体をここに参照のために取り込む。
【技術分野】
【０００２】  本開示は、ダイエット効果を予測する予測装置及び予測システムに関する。
【背景技術】
【０００３】  特許文献１に記載の活動目標算出方法では、ユーザの活動量が測定されるとともに、食事量の制限と運動による脂肪消費とのバランスがユーザごとに設定される。特許文献１に記載の活動目標算出方法では、各ユーザに見合った無理のないダイエット目標が設定される。
【先行技術文献】
【特許文献】
【０００４】
【特許文献１】特開２０１２−１６５９６７
【発明の概要】
【０００５】  本開示の一実施形態に係る予測装置は、生体ガスを検出するセンサ部と、ライフログを取得するライフログ取得部と、を備える。前記予測装置は、前記センサ部によって検出された生体ガスに関する情報、及び、前記ライフログ取得部によって取得されたライフログに基づいて、ダイエット効果を予測する制御部をさらに備える。
【０００６】  本開示は上述した予測装置に実質的に相当するシステムとしても実現し得るものである。本開示の範囲には、これらも包含されるものと理解されたい。
【０００７】  本開示の一実施形態に係る予測システムは、検出装置と予測装置とを備える。前記検出装置は、生体ガスを検出するセンサ部と、ライフログを取得するライフログ取得部と、前記センサ部によって検出された生体ガスに関する情報、及び、前記ライフログ取得部によって取得されたライフログを前記予測装置に送信する通信部と、を備える。前記予測装置は、前記情報及び前記ライフログを前記検出装置より受信する通信部と、前記情報及び前記ライフログに基づいて、ダイエット効果を予測する制御部と、を備える。
【０００８】  本開示の一実施形態に係る予測システムは、検出装置と、中継装置と、予測装置とを備える。前記検出装置は、生体ガスを検出するセンサ部と、ライフログを取得するライフログ取得部と、前記センサ部によって検出された生体ガスに関する情報、及び、前記ライフログ取得部によって取得されたライフログを前記中継装置に送信する通信部と、を備える。前記中継装置は、前記検出された生体ガスに関する情報及び前記取得されたライフログを前記検出装置より受信して、受信した前記検出された生体ガスに関する情報及び前記取得されたライフログを、ネットワークを介して前記予測装置に送信する通信部を備える。前記予測装置は、前記中継装置から前記ネットワークを介して送信される前記情報及び前記ライフログを受信する通信部と、前記情報及び前記ライフログに基づいて、ダイエット効果を予測する制御部と、を備える。
【図面の簡単な説明】
【０００９】
【図１】本開示の一実施形態に係る予測装置の外観を模式的に示す斜視図である。
【図２】図１の予測装置の概略構成を示す機能ブロック図である。
【図３】図１の予測装置の動作を示すフローチャートである。
【図４】本開示の一実施形態に係る予測システムの概略構成を示す機能ブロック図である。
【図５】本開示の一実施形態に係る予測システムの概略構成を示す機能ブロック図である。
【発明を実施するための形態】
【００１０】  上記特許文献１に開示された活動目標算出方法は、ダイエット目標を設定するものである。当該活動目標算出方法は、将来の具体的なダイエット効果を提示するものではない。本開示の予測装置及び予測システムによれば、将来のダイエット効果を予測することが可能である。
【００１１】  以降、諸図面を参照しながら、一実施形態について詳細に説明する。
【００１２】（第１実施形態）  図１は、第１実施形態に係る予測装置の外観を模式的に示す斜視図である。予測装置１０は、センサ部１１と、入力部１２と、表示部１３とを有する。
【００１３】  予測装置１０は、図１に示すとおり、例えばクリップのような形状をしており、可搬性を有する。予測装置１０は、このような形状に限定されず、可搬性を有する任意の形状であってもよい。ユーザは、予測装置１０を例えば衣服のポケットなどにはさむようにして身につけることが可能である。
【００１４】  予測装置１０は、ユーザの状態を検出する。すなわち、予測装置１０は、ユーザの歩行、ランニング、自転車若しくは自動車の運転、エレベータ若しくはエスカレータの昇降、坂道の昇降、又は睡眠中の体の動きなどを検出する。ユーザは、例えば入力部１２から、食事の内容を入力する。予測装置１０は、検出および入力されたこれらの情報に基づいて、ユーザの生活習慣、すなわちライフログを記録する。ライフログは、例えば活動、睡眠、又は食事などに関するユーザの行動履歴情報である。
【００１５】  予測装置１０は、記録したライフログに基づいて、様々な情報をユーザにフィードバックする。例えば、予測装置１０は、ユーザが家事又はスポーツの項目を選択すると、歩数及び消費カロリーを計算して、ライフログとしてユーザに提示する。例えば、予測装置１０は、ユーザの睡眠時間及び睡眠中の体の動きを感知して、睡眠の質を測定し、当該情報をライフログとしてユーザに提示する。例えば、予測装置１０は、ユーザが入力した食事内容に基づいて自動で計測した食事時間及び摂取カロリーをライフログとしてユーザに提示する。
【００１６】  予測装置１０は、ユーザが入力した喫煙及び飲酒などの生活習慣（ライフログ）に大きく関わる情報も管理することが可能である。予測装置１０は、ユーザが入力した身長、体重、及び血圧などの身体データを管理することも可能である。予測装置１０は、腹囲形状を測定して、内臓脂肪面積を推定することも可能である。
【００１７】  予測装置１０は、記録した上記のライフログと、センサ部１１によって検出された情報とに基づいて、ユーザの将来のダイエット効果を予測する。予測装置１０は、例えば、何日後に何ｋｇ痩せるか、内臓脂肪は何％減少するか、腹囲は何ｃｍ減少するかなど、より具体的な将来のダイエット効果を予測して、その結果をユーザに提示する。
【００１８】  センサ部１１は、図１に示すとおり、予測装置１０の外面の一部に露出して配置され、ユーザから排出される生体ガスを検出する。ここで「生体ガス」とは、生体から発生する全てのガスを意味する。すなわち、「生体ガス」は、気道を通じて外部へ排出される呼気に含まれる種々のガス、皮膚から発生する種々のガス、及び粘膜などから発生する種々のガスを含む。これらの生体ガスは、有機性成分及び無機性成分を共に含む。有機性成分としては、例えば、アセトンなどのケトン、イソプレンなどのオレフィン、エタノールなどのアルコール、メチルメルカプタンなどのメルカプタン、アミン、又はエステルなどが挙げられる。無機性成分としては、例えば、酸素、一酸化炭素、二酸化炭素、一酸化窒素、アンモニア、硫化水素、又は水などが挙げられる。センサ部１１を構成するセンサは、生体ガスを検出できる任意のセンサであってよい。例えば、センサ部１１を構成するセンサは、生体ガスを構成するガス分子を吸着する感応膜と、感応膜におけるガス分子を電気信号に変換するトランスデューサとを有する。例えば、センサ部１１は、将来のダイエット効果を予測するために、アセトンなどのケトン系の物質を検出可能な感応膜を備えていればよい。  センサ部１１は、例えば、有機薄膜からなる感応膜と水晶振動子とを備えた水晶振動子式生体ガスセンサを備えていてもよい。水晶振動子式生体ガスセンサは、感応膜にガス分子が吸着すると、水晶振動子の共振周波数が変化することによって、生体ガスを検出する。水晶振動子は、ガス分子の検出を電気信号に変換するトランスデューサとして機能する。  センサ部１１は、例えば、半導体ガスセンサを備えていてもよい。半導体ガスセンサは、酸化物半導体にガス分子が吸着すると、酸化物半導体の抵抗値が変化し、ガス濃度を検出する。酸化物半導体は、ガス分子の検出を電気信号に変換するトランスデューサとして機能する。センサ部１１は、例えば、赤外線式ガスセンサ、電気化学式ガスセンサ、接触燃焼式ガスセンサ、又はバイオセンサ等を備えていてもよい。
【００１９】  入力部１２は、予測装置１０の外面の一部に露出して配置される。入力部１２は、ユーザからの操作入力を受け付ける。例えば、入力部１２は、各種項目を選択するユーザからの操作入力を受け付ける。例えば、入力部１２は、食事内容の入力、喫煙及び飲酒などの情報（ライフログ）の入力、並びに身体データの入力を受け付ける。入力部１２によりユーザが入力する内容は、これに限定されない。入力部１２は、予測装置１０の機能を実現するために必要と認められる任意の入力を受け付けることが可能である。入力部１２は、例えば、図１に示すように、ユーザが入力操作を行う操作ボタン又は操作キーから構成される。入力部１２は、タッチスクリーンであってもよい。入力部１２は、表示部１３の一部に、ユーザからの操作入力を受け付ける入力領域を表示して、ユーザによるタッチ操作入力を受け付けてもよい。
【００２０】  表示部１３は、予測装置１０の外面の一部に露出して、例えば入力部１２と隣接するように配置される。表示部１３は、ユーザが入力操作を行うための様々な項目、予測装置１０により測定された種々の結果、予測装置１０が管理している様々なデータ、又は、予測したユーザのダイエット効果を表示する。例えば、表示部１３は、「家事」及び「スポーツ」の項目を含む「活動」、「睡眠」、「食事」、並びに「内臓脂肪」の項目を選択する選択画面を表示する。例えば、表示部１３は、ユーザが喫煙及び飲酒の情報、又は身体データを入力するための入力画面を表示する。例えば、表示部１３は、歩数及び消費カロリーの計算結果、睡眠の質の測定結果、食事時間及び摂取カロリーの計測結果、又は内臓脂肪面積の推定結果などを表示する。表示部１３は、各項目の結果を、日々の変化を統計的に示すグラフとして表示してもよいし、１日ごとに時系列表示又は統計表示してもよい。表示部１３は、消費カロリーと摂取カロリーとのバランス、例えば、消費カロリーと摂取カロリーとの差分などを表示してもよい。表示部１３は、例えば、「何日後に何ｋｇ痩せます」、「内臓脂肪が何％減少します」、「腹囲が何ｃｍ減少します」、「明日の目覚めがよくなります」、「血圧が正常になる可能性が大きいです」のような、ユーザの身体及び体調に表れるダイエット効果を表示する。表示部１３が表示する内容は、これらに限定されない。表示部１３は、予測装置１０の機能を実現するために必要と認められる任意の表示を行うことが可能である。
【００２１】  図２は、図１の予測装置１０の概略構成を示す機能ブロック図である。予測装置１０は、上記のセンサ部１１、入力部１２、及び表示部１３の他に、ライフログ取得部１４と、制御部１５と、記憶部１６と、報知部１７とをさらに有する。
【００２２】  ライフログ取得部１４は、例えば加速度センサを有して構成され、上述したユーザの状態を検出する。ライフログ取得部１４は、ユーザの状態を検出可能であれば任意の構成であってよい。ライフログ取得部１４は、取得したライフログを制御部１５に送信する。制御部１５は、検出した上記の情報に基づいて、ユーザのライフログを記憶部１６に記録する。
【００２３】  制御部１５は、予測装置１０の各機能ブロックをはじめとして、予測装置１０の全体を制御及び管理するプロセッサである。制御部１５は、制御手順を規定したプログラムを実行するＣＰＵ（Central Processing Unit）等のプロセッサで構成される。このようなプログラムは、例えば記憶部１６又は外部の記憶媒体に格納される。  予測装置１０は、以下にさらに詳細に述べられるように、種々の機能を実行するための制御及び処理能力を提供するために、少なくとも１つのプロセッサを含む制御部１５を備える。種々の実施形態によれば、少なくとも１つのプロセッサは、単一の集積回路として、又は複数の通信可能に接続された集積回路及び／若しくはディスクリート回路として実行されてもよい。少なくとも１つのプロセッサは、種々の既知の技術に従って実行されることが可能である。１つの実施形態において、プロセッサは、例えば、関連するメモリに記憶された指示を実行することによって１以上のデータ計算手続又は処理を実行するように構成された１以上の回路又はユニットを含む。他の実施形態において、プロセッサは、１以上のデータ計算手続き又は処理を実行するように構成されたファームウェア（例えば、ディスクリートロジックコンポーネント）であってもよい。種々の実施形態によれば、プロセッサは、１以上のプロセッサ、コントローラ、マイクロプロセッサ、マイクロコントローラ、特定用途向け集積回路、デジタル信号処理装置、プログラマブルロジックデバイス、フィールドプログラマブルゲートアレイ、又はこれらのデバイス若しくは構成の任意の組み合わせ、又は他の既知のデバイス及び構成の組み合わせを含み、以下に説明される機能を実行してもよい。
【００２４】  制御部１５は、ユーザの入力部１２の操作に基づき、入力信号を取得する。制御部１５は、入力部１２からの入力信号に基づき、必要に応じて表示部１３に出力信号を送信する。これにより、制御部１５は、上述したような種々の内容を表示部１３に表示する。これらの表示を行うために必要なデータは、例えば記憶部１６又は外部の記憶媒体に格納される。ユーザが入力部１２を操作して種々の入力を行うと、制御部１５は、当該入力内容に対応するデータを記憶部１６などから取得する。
【００２５】  制御部１５は、予測装置１０の全体を制御することにより、予測装置１０によるダイエット効果の予測処理を実行する。例えば、制御部１５は、予測装置１０のユーザによる所定の入力操作に基づき、センサ部１１を起動する。ここで述べる所定の入力操作とは、例えば、予測装置１０の電源を投入する操作、又は、生体ガス検出の実行を選択する操作などである。制御部１５により起動されたセンサ部１１は、ユーザから排出される生体ガスの検出を開始する。制御部１５は、センサ部１１により検出された生体ガスに関する情報を、センサ部１１から取得する。
【００２６】  制御部１５は、例えば、センサ部１１によって検出された生体ガスに関する情報、及び、ライフログ取得部１４によって取得されたライフログに基づいて、ダイエット効果を予測する。ユーザから排出される生体ガスは、ダイエット効果に依存して変化する。例えば、脂質代謝の過程で発生するアセトンの濃度は、脂肪の燃焼量に相当すると考えられる。すなわち、体内に糖質エネルギーが余っている場合にはアセトン濃度は低下する。体内に糖質エネルギーが不足している場合にはアセトン濃度は増加する。従って、ダイエットが順調に進行している場合には、脂肪の燃焼量が徐々に増加しているので、時間経過とともにアセトン濃度が徐々に上昇する。一方で、リバウンドなどによりダイエットの進行が妨げられる場合には、アセトン濃度は、高い状態から急激に下降する。このように、ダイエットの進行具合に応じて、ユーザから排出される生体ガスに関する情報は変化する。従って、制御部１５は、生体ガスに関する情報の変化に基づいて将来のダイエット効果を予測することができる。これに加え、制御部１５は、ユーザごとにライフログを取得することで、ユーザ個人のライフスタイルに合わせたより精度の高い予測を行う。  例えば、制御部１５は、複数のセンサの出力と出力の割合とに基づいて、将来のダイエット効果を予測してもよい。例えば、制御部１５は、複数のセンサの応答の特徴量（出力値、時定数等）に基づいて、将来のダイエット効果を予測してもよい。例えば、予測装置１０は、ケトン系、オレフィン系、アルコール系、メルカプタン系、アミン系、又はエステル系などの有機性成分を含む生体ガスを検出する複数のセンサを備えていてもよい。例えば、予測装置１０は、酸素、一酸化炭素、二酸化炭素、一酸化窒素、アンモニア、硫化水素、又は水などの無機性成分を含む生体ガスを検出する複数のセンサを備えていてもよい。例えば、制御部１５は、複数のセンサのうち、ケトン系の生体ガスを検出する複数のセンサの出力変化に基づいて、将来のダイエット効果を予測してもよい。
【００２７】  制御部１５は、記憶部１６に格納された、生体ガスに関する情報及びライフログとダイエット効果との相関を示すデータを参照する。制御部１５は、センサ部１１によって検出された生体ガスに関する情報及びライフログ取得部１４によって取得されたライフログと当該相関を示すデータとを照合して、ダイエット効果を予測する。制御部１５は、検出された生体ガスに関する情報、取得されたライフログ、及び相関データを各構成部から随時取得してダイエット効果を予測してもよい。制御部１５は、予め定められた所定の期間ごとにこれらの情報を取得してダイエット効果を予測してもよい。制御部１５は、ユーザにより設定された所定の期間ごとにこれらの情報を取得してダイエット効果を予測してもよい。
【００２８】  制御部１５は、センサ部１１より取得した生体ガスに関する情報、ユーザが入力部１２により入力した各種情報、表示部１３に表示するために必要な各種データ、及びライフログ取得部１４より取得したライフログなどを、必要に応じて記憶部１６に格納する。制御部１５は、将来のダイエット効果に関する予測結果を、必要に応じて記憶部１６に格納する。制御部１５は、必要に応じてこれらのデータを記憶部１６より参照する。  制御部１５は、主成分分析等の統計的手法、またはニューラルネットワークを用いてダイエット効果を予測してもよい。制御部１５は、あらかじめダイエット効果毎に、複数のセンサの応答の特徴量を抽出する学習プロセスを実施し、データを作成してもよい。制御部１５は、記憶部１６に学習済のデータを記憶させてもよい。制御部１５は、記憶部１６に記憶された学習済のデータと、複数のセンサで検出されたデータとのマッチング度合いにより、ダイエット効果を予測してもよい。制御部１５は、新たに検出されたデータを基に、記憶部１６に記憶された学習済のデータを更新してもよい。
【００２９】  制御部１５は、将来のダイエット効果に関する予測結果をユーザに報知するために、報知部１７を制御する。制御部１５は、将来のダイエット効果を随時予測してユーザに報知してもよい。制御部１５は、予め定められた所定の期間ごとにダイエット効果を予測してユーザに報知してもよい。制御部１５は、ユーザにより設定された所定の期間ごとにダイエット効果を予測してユーザに報知してもよい。  制御部１５が予測するダイエット効果は、例えば、将来の腹囲、将来の脂肪量、将来のユーザの体調などである。
【００３０】  記憶部１６は、半導体メモリ又は磁気メモリ等で構成することができ、上述した各種情報、各種データ、及び予測装置１０を動作させるためのプログラム等を記憶する。記憶部１６は、ワークメモリとしても機能する。特に、記憶部１６は、検出された生体ガスに関する情報、取得されたユーザのライフログ、並びに生体ガスに関する情報及びライフログとダイエット効果との相関を示すデータを記憶する。
【００３１】  報知部１７は、制御部１５によって予測された将来のダイエット効果をユーザに報知する。報知部１７は、例えば、画像、文字、色彩の表示若しくは発光等による視覚的な方法、音声等の聴覚的な方法、又はそれらの組み合わせにより報知を行うことができる。報知部１７は、視覚的な方法で報知を行う場合、例えば、表示部１３を併用してもよいし、表示部１３とは異なる表示デバイスとして構成されてもよい。この場合、報知部１７は、画像又は文字を表示することにより報知を行ってもよい。報知部１７は、例えば、「何日後に何ｋｇ痩せます」のような具体的なダイエット効果を表示部１３に表示させるとともに、ＬＥＤ等の発光素子を発光させることにより報知を行ってもよい。報知部１７は、聴覚的な方法で報知を行う場合、例えば、スピーカ等の音発生デバイスとして構成され、アラーム音又は音声ガイド等を出力することにより報知を行う。報知部１７が行う報知は、視覚的又は聴覚的な方法に限定されない。報知部１７が行う報知は、ユーザが自身の具体的なダイエット効果を認知できる任意の方法であってもよい。例えば、報知部１７は、振動パターン等により報知を行ってもよい。
【００３２】  図３は、一実施形態に係る予測装置１０の動作を示すフローチャートである。
【００３３】  ユーザは、入力部１２に対して、予測装置１０にダイエット効果の予測処理を開始させるための所定の入力操作を行う。例えば、ユーザは、生体ガス検出の実行を選択する操作を行う。
【００３４】  予測装置１０が予測処理を開始した後、制御部１５は、ライフログ取得部１４又は記憶部１６よりライフログを取得する（ステップＳ１０）。
【００３５】  制御部１５はセンサ部１１を起動して、ユーザより排出される生体ガスを検出する（ステップＳ１１）。ステップＳ１０及びＳ１１における処理は、上記の順序に限定されず、逆であってもよいし、並列処理として同時に行われてもよい。
【００３６】  制御部１５は、ステップＳ１１で検出された生体ガスに関する情報及びステップＳ１０で取得されたライフログと、記憶部１６に格納された相関を示すデータとを照合し、将来の具体的なダイエット効果を予測する（ステップＳ１２）。
【００３７】  制御部１５は、ダイエット効果を予測すると、報知部１７を制御しユーザに報知する（ステップＳ１３）。その後、フローは終了する。
【００３８】  以上により、一実施形態に係る予測装置１０は、将来の具体的なダイエット効果を予測することが可能である。
【００３９】  一実施形態に係る予測装置１０は、センサ部１１によって検出された生体ガス、及び、ユーザごとに取得されたライフログを基準とすることで、ユーザ個人のライフスタイルに合わせたより精度の高いダイエット効果予測を行うことが可能である。
【００４０】  一実施形態に係る予測装置１０は、具体的なダイエット効果を提示することで、ユーザのダイエットに対するモチベーションを向上させることが可能である。
【００４１】  一実施形態に係る予測装置１０は可搬性に優れ、ユーザの利便性を向上させることが可能である。
【００４２】  上記の実施形態に係る予測装置１０は、生体ガスを検出するセンサ部１１と、ライフログを取得するライフログ取得部１４と、将来の具体的なダイエット効果を予測する制御部１５とを有すると説明した。しかしながら、互いに通信可能な異なる装置が、生体ガスを検出する機能部及びライフログを取得する機能部と、将来の具体的なダイエット効果を予測する機能部とをそれぞれ別々に有してもよい。このような場合の構成を第２実施形態として、図４を参照して説明する。
【００４３】（第２実施形態）  図４は、第２実施形態に係る予測システム２０の概略構成を示す機能ブロック図である。予測システム２０は、検出装置３０と、予測装置４０とを有する。検出装置３０と予測装置４０とは、例えばＢｌｕｅｔｏｏｔｈ（登録商標）、ＺｉｇＢｅｅ（登録商標）、又はＮＦＣ（Near Field Communication）などの近距離無線通信により相互に接続される。
【００４４】  検出装置３０は、図１に示した第１実施形態に係る予測装置１０と異なり、入力部、表示部、及び報知部を有さない。検出装置３０は、その他の構成については、第１実施形態に係る予測装置１０と同様である。検出装置３０は、センサ部３１と、ライフログ取得部３４と、制御部３５と、記憶部３６と、通信部３８とを有する。センサ部３１、ライフログ取得部３４、制御部３５、及び記憶部３６の機能は、図２に示した予測装置１０のセンサ部１１、ライフログ取得部１４、制御部１５、及び記憶部１６の機能とそれぞれ同様であるため、ここではその説明を省略する。以下では、第１実施形態に係る予測装置１０と異なる点について主に説明する。
【００４５】  一実施形態に係る検出装置３０の制御部３５は、将来の具体的なダイエット効果を予測しない。代わりに、制御部３５は、通信部３８を介して、センサ部３１によって検出された生体ガスに関する情報、及び、ライフログ取得部３４より取得したライフログを外部の予測装置４０に送信する。一方で、制御部３５は、予測装置４０に対するユーザの所定の入力操作に応じて必要な信号を取得する。例えば、制御部３５は、センサ部３１を起動するための信号を予測装置４０より取得する。
【００４６】  通信部３８は、予測装置４０と近距離無線通信を行うことにより、各種情報の送受信を行う。
【００４７】  通信部３８は、センサ部３１より取得した生体ガスに関する情報、及び、ライフログ取得部３４より取得したライフログを予測装置４０に送信する。検出装置３０から予測装置４０への各種情報の送信は、例えば、制御部３５がこれらの各種情報を取得するたびに実行されてもよいし、予測装置４０に対してユーザが所定の入力操作を行った際に実行されてもよい。
【００４８】  一方で、通信部３８は、予測装置４０に対するユーザの所定の入力操作に応じて、必要な信号を取得する。例えば、通信部３８は、センサ部３１を起動するための信号を予測装置４０から受信する。
【００４９】  予測装置４０は、例えばスマートフォンなどの携帯用端末装置により構成される。予測装置４０は、入力部４２と、表示部４３と、制御部４５と、記憶部４６と、報知部４７と、通信部４８とを有する。入力部４２、表示部４３、制御部４５、記憶部４６、及び報知部４７の機能は、図２に示した予測装置１０の入力部１２、表示部１３、制御部１５、記憶部１６、及び報知部１７の機能とそれぞれ同様であるため、ここではその説明を省略する。以下では、第１実施形態に係る予測装置１０と異なる点について主に説明する。
【００５０】  入力部４２及び表示部４３は、例えば、スマートフォンなどの携帯用端末装置である予測装置４０のタッチスクリーンにより構成される。入力部４２は、表示部４３の一部に、ユーザからの操作入力を受け付ける入力領域を表示して、ユーザによるタッチ操作入力を受け付ける。入力部４２は、スマートフォンなどの携帯用端末装置である予測装置４０に搭載されたカメラを用いてユーザが食事を撮影することで、より詳細な食事内容の入力を受け付けてもよい。表示部４３は、タッチスクリーン全面を用いて、各項目の結果を示す統計情報、又はダイエット効果などの各種情報を表示してもよい。
【００５１】  制御部４５は、予測装置４０の各機能ブロックをはじめとして、予測装置４０の全体を制御及び管理するプロセッサである。制御部４５は、制御手順を規定したプログラムを実行するＣＰＵ（Central Processing Unit）等のプロセッサで構成される。このようなプログラムは、例えば記憶部４６又は外部の記憶媒体に格納される。
【００５２】  制御部４５は、通信部４８を介して検出装置３０から受信した各種情報に基づいて、将来の具体的なダイエット効果を予測する。すなわち、制御部４５は、センサ部３１により検出した生体ガスに関する情報と、ライフログ取得部３４により取得したライフログとに基づいて、将来の具体的なダイエット効果を予測する。すなわち、制御部４５は、生体ガスに関する情報及びライフログと、ダイエット効果との相関を示すデータを、記憶部４６より参照する。制御部４５は、検出された生体ガスに関する情報及び取得されたライフログと、相関データとを照合して、ダイエット効果を予測する。
【００５３】  記憶部４６は、半導体メモリ又は磁気メモリ等で構成することができ、各種情報及び予測装置４０を動作させるためのプログラム等を記憶する。記憶部４６は、ワークメモリとしても機能する。記憶部４６は、生体ガスに関する情報及びライフログと、ダイエット効果との相関を示すデータを記憶する。
【００５４】  通信部４８は、検出装置３０と近距離無線通信を行うことにより、各種情報の送受信を行う。
【００５５】  通信部４８は、センサ部３１より検出された生体ガスに関する情報、及び、ライフログ取得部３４より取得したライフログを検出装置３０から受信する。検出装置３０からの各種情報の受信は、例えば、制御部３５がこれらの各種情報を取得するたびに実行されてもよいし、入力部４２に対してユーザが所定の入力操作を行った際に実行されてもよい。
【００５６】  一方で、通信部４８は、入力部４２に対するユーザの所定の入力操作に応じて、必要な信号を検出装置３０に送信する。例えば、通信部４８は、センサ部３１を起動するための信号を検出装置３０に送信する。
【００５７】  以上により、一実施形態に係る予測システム２０は、将来の具体的なダイエット効果を予測することが可能である。従って、第１実施形態に係る予測装置１０と同様の効果が得られる。
【００５８】  一実施形態に係る予測システム２０は、スマートフォンなどの携帯用端末装置である予測装置４０に搭載されたカメラを用いて食事内容を撮影することで、より詳細に食事内容を入力することが可能である。これにより、一実施形態に係る予測システム２０は、より精度良くダイエット効果を予測することが可能である。
【００５９】  一実施形態に係る予測システム２０は、スマートフォンなどの携帯用端末装置である予測装置４０のタッチスクリーンを入力部４２として用いることで、入力インターフェースとしての利便性を高めることが可能である。
【００６０】  一実施形態に係る予測システム２０は、スマートフォンなどの携帯用端末装置である予測装置４０のタッチスクリーンを表示部４３として用いることで、より大画面に情報を表示することが可能であり、ユーザの利便性の向上につながる。
【００６１】  上記の実施形態に係る予測システム２０は、ユーザが使用する携帯用端末装置においてダイエット効果を予測する機能部を有するものとして説明した。しかしながら、互いに通信可能な異なる装置が、ダイエット効果を予測する機能部を別に有してもよい。このような場合の構成を第３実施形態として、図５を参照して説明する。
【００６２】（第３実施形態）  図５は、第３実施形態に係る予測システム５０の概略構成を示す機能ブロック図である。予測システム５０は、検出装置６０と、中継装置７０と、予測装置８０とを有する。検出装置６０と中継装置７０とは、第２実施形態同様、近距離無線通信により相互に接続される。中継装置７０と予測装置８０とは、例えばインターネット回線、ＷＡＮ（Wide Area Network）、又はＬＡＮ（Local Area Network）等の有線又は無線通信ネットワーク９０を介して相互に通信接続される。
【００６３】  検出装置６０及び中継装置７０は、図４に示した第２実施形態に係る予測システム２０を構成する検出装置３０及び予測装置４０とそれぞれ同様に構成される。検出装置６０は、センサ部６１と、ライフログ取得部６４と、制御部６５と、記憶部６６と、通信部６８とを有する。これらの機能は、図４に示した検出装置３０のセンサ部３１、ライフログ取得部３４、制御部３５、記憶部３６、及び通信部３８の機能とそれぞれ同様であるため、ここではその説明を省略する。
【００６４】  中継装置７０は、入力部７２と、表示部７３と、制御部７５と、記憶部７６と、報知部７７と、通信部７８とを有する。これらの機能は、図４に示した予測装置４０の入力部４２、表示部４３、制御部４５、記憶部４６、報知部４７、及び通信部４８の機能とそれぞれ同様であるため、ここではその説明を省略する。
【００６５】  以下では、第１実施形態に係る予測装置１０及び第２実施形態に係る予測システム２０と異なる点について主に説明する。
【００６６】  一実施形態に係る中継装置７０の制御部７５は、将来の具体的なダイエット効果を予測しない。代わりに、制御部７５は、通信部７８及びネットワーク９０を介して、検出装置６０のセンサ部６１によって検出された生体ガスに関する情報、及び、ライフログ取得部６４より取得したライフログを、外部の予測装置８０に送信する。その後、制御部７５は、予測装置８０からネットワーク９０を介して送信される、将来の具体的なダイエット効果に関する情報を、通信部７８を介して取得する。制御部７５は、取得したダイエット効果に関する情報をユーザに報知するために、報知部７７を制御する。
【００６７】  通信部７８は、ネットワーク９０を介して予測装置８０と通信を行うことにより、各種情報の送受信を行う。
【００６８】  通信部７８は、例えば、検出装置６０より受信した、生体ガスに関する情報及びライフログを予測装置８０に送信する。通信部７８は、入力部７２に対して入力された種々の情報も予測装置８０に送信する。中継装置７０から予測装置８０への各種情報の送信は、例えば、制御部７５がこれらの各種情報を取得するたびに実行されてもよいし、中継装置７０に対してユーザが所定の入力操作を行った際に実行されてもよい。
【００６９】  一方で、通信部７８は、予測装置８０により予測された将来の具体的なダイエット効果に関する情報を、ネットワーク９０を介して予測装置８０から受信する。
【００７０】  予測装置８０は、例えばサーバ装置により構成される。予測装置８０は、制御部８５と、記憶部８６と、通信部８８とを有する。
【００７１】  制御部８５は、予測装置８０の各機能ブロックをはじめとして、予測装置８０の全体を制御及び管理するプロセッサである。制御部８５は、制御手順を規定したプログラムを実行するＣＰＵ（Central Processing Unit）等のプロセッサで構成される。このようなプログラムは、例えば記憶部８６又は外部の記憶媒体に格納される。
【００７２】  制御部８５は、通信部８８を介して中継装置７０から受信した各種情報に基づいて、将来の具体的なダイエット効果を予測する。すなわち、制御部８５は、センサ部６１により検出した生体ガスに関する情報と、ライフログ取得部６４により取得したライフログとに基づいて、将来の具体的なダイエット効果を予測する。すなわち、制御部８５は、生体ガスに関する情報及びライフログと、ダイエット効果との相関を示すデータを、記憶部８６より参照する。制御部８５は、検出された生体ガスに関する情報及び取得されたライフログと、相関データとを照合して、ダイエット効果を予測する。
【００７３】  制御部８５は、予測したダイエット効果に関する情報を、通信部８８及びネットワーク９０を介して、中継装置７０に送信する。
【００７４】  記憶部８６は、半導体メモリ又は磁気メモリ等で構成することができ、各種情報及び予測装置８０を動作させるためのプログラム等を記憶する。記憶部８６は、ワークメモリとしても機能する。記憶部８６は、生体ガスに関する情報及びライフログと、ダイエット効果との相関を示すデータを記憶する。記憶部８６は、中継装置７０より受信した、生体ガスに関する情報及びライフログを記憶する。記憶部８６は、入力部７２に対して入力された種々の情報も記憶する。
【００７５】  通信部８８は、ネットワーク９０を介して中継装置７０と通信を行うことにより、各種情報の送受信を行う。
【００７６】  通信部８８は、センサ部６１より取得した生体ガスに関する情報、及び、ライフログ取得部６４より取得したライフログを中継装置７０から受信する。通信部８８は、入力部７２に対して入力された種々の情報も中継装置７０から受信する。中継装置７０からの各種情報の受信は、例えば、制御部７５がこれらの各種情報を取得するたびに実行されてもよいし、入力部７２に対してユーザが所定の入力操作を行った際に実行されてもよい。
【００７７】  通信部８８は、予測装置８０により予測された将来の具体的なダイエット効果に関する情報を、ネットワーク９０を介して中継装置７０に送信する。
【００７８】  以上により、一実施形態に係る予測システム５０は、将来の具体的なダイエット効果を予測することが可能である。従って、第１実施形態に係る予測装置１０及び第２実施形態に係る予測システム２０と同様の効果が得られる。
【００７９】  一実施形態に係る予測システム５０は、サーバ装置である予測装置８０が将来の具体的なダイエット効果を予測するため、予測装置８０の制御部８５が参照する記憶部８６内のデータを必要に応じてアップデートすることができる。これにより、予測システム５０は、アップデートされたデータに基づいてダイエット効果を予測することができる。
【００８０】  本開示は、その精神又はその本質的な特徴から離れることなく、上述した実施形態以外の他の所定の形態で実現できることは当業者にとって明白である。従って、先の記述は例示的なものであり、これに限定されるものではない。開示の範囲は、先の記述によってではなく、付加した請求項によって定義される。あらゆる変更のうちその均等の範囲内にあるいくつかの変更は、その中に包含されるものとする。
【００８１】  例えば、各構成部、各ステップ等に含まれる機能等は論理的に矛盾しないように再配置可能であり、複数の構成部又はステップ等を１つに組み合わせたり、あるいは分割したりすることが可能である。
【００８２】  例えば、上記の実施形態において、センサ部１１は、ユーザから排出される生体ガスを検出するセンサで構成されると説明したが、生体ガスを検出するセンサ以外のセンサであってもよい。
【００８３】  第３実施形態に係る予測システム５０では、検出装置６０と中継装置７０とを別々の構成として説明したが、検出装置６０及び中継装置７０を１つの装置としてまとめて構成してもよい。
【符号の説明】
【００８４】１０、４０、８０  予測装置１１、３１、６１  センサ部１２、４２、７２  入力部１３、４３、７３  表示部１４、３４、６４  ライフログ取得部１５、３５、４５、６５、７５、８５  制御部１６、３６、４６、６６、７６、８６  記憶部１７、４７、７７  報知部２０、５０  予測システム３０、６０  検出装置３８、４８、６８、７８、８８  通信部７０  中継装置９０  ネットワーク
【図１】
2017150224.tif 000003
【図２】
2017150224.tif 000004
【図３】
2017150224.tif 000005
【図４】
2017150224.tif 000006
【図５】
2017150224.tif 000007
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
生体ガスを検出するセンサ部と、
ライフログを取得するライフログ取得部と、
前記センサ部によって検出された生体ガスに関する情報、及び、前記ライフログ取得部によって取得されたライフログに基づいて、ダイエット効果を予測する制御部と、を備える、
予測装置。
【請求項２】
記憶部をさらに備え、
前記記憶部は、生体ガスに関する情報及びライフログとダイエット効果との相関を示すデータを記憶し、
前記制御部は、前記検出された生体ガスに関する情報及び前記取得されたライフログと前記データとを照合して、前記ダイエット効果を予測する、
請求項１に記載の予測装置。
【請求項３】
報知部をさらに備え、
前記制御部は、予測した前記ダイエット効果を、前記報知部から報知する、
請求項１又は２に記載の予測装置。
【請求項４】
前記ダイエット効果は、ユーザの身体又は体調に表れる変化を含む、請求項１乃至３のいずれか１項に記載の予測装置。
【請求項５】
検出装置と予測装置とを備え、
前記検出装置は、生体ガスを検出するセンサ部と、ライフログを取得するライフログ取得部と、前記センサ部によって検出された生体ガスに関する情報、及び、前記ライフログ取得部によって取得されたライフログを前記予測装置に送信する通信部と、を備え、
前記予測装置は、前記情報及び前記ライフログを前記検出装置より受信する通信部と、前記情報及び前記ライフログに基づいて、ダイエット効果を予測する制御部と、を備える、
予測システム。
【請求項６】
前記予測装置は、記憶部をさらに備え、
前記記憶部は、生体ガスに関する情報及びライフログとダイエット効果との相関を示すデータを記憶し、
前記制御部は、前記検出された生体ガスに関する情報及び前記取得されたライフログと前記データとを照合して、前記ダイエット効果を予測する、
請求項５に記載の予測システム。
【請求項７】
検出装置と、中継装置と、予測装置とを備え、
前記検出装置は、生体ガスを検出するセンサ部と、ライフログを取得するライフログ取得部と、前記センサ部によって検出された生体ガスに関する情報、及び、前記ライフログ取得部によって取得されたライフログを前記中継装置に送信する通信部と、を備え、
前記中継装置は、前記検出された生体ガスに関する情報及び前記取得されたライフログを前記検出装置より受信して、受信した前記検出された生体ガスに関する情報及び前記取得されたライフログを、ネットワークを介して前記予測装置に送信する通信部を備え、
前記予測装置は、前記中継装置から前記ネットワークを介して送信される前記情報及び前記ライフログを受信する通信部と、前記情報及び前記ライフログに基づいて、ダイエット効果を予測する制御部と、を備える、
予測システム。
【請求項８】
前記予測装置は、記憶部をさらに備え、
前記記憶部は、生体ガスに関する情報及びライフログとダイエット効果との相関を示すデータを記憶し、
前記制御部は、前記検出された生体ガスに関する情報及び前記取得されたライフログと前記データとを照合して、前記ダイエット効果を予測する、
請求項７に記載の予測システム。
【請求項９】
前記ダイエット効果は、ユーザの身体又は体調に表れる変化を含む、請求項５乃至８のいずれか１項に記載の予測システム。
【国際調査報告】
2017150224.tif 000008
2017150224.tif 000009
2017150224.tif 000010
2017150224.tif 000011